(57)【要約】【課題】紐状体が搬送ローラ、ブラシローラの軸部などに絡み付いてしまうのを防止できるシート洗浄機を提供する。【解決手段】ガイド具５３が排出ガイド４１にガイドされて排出口３９からすぐ外側の領域に出ると、発光部４３から照射されている光が遮られて、受光部４５が光を検知しない状態となり、この検知情報がコントローラ２１へ伝達される。これにより、モータ２０が逆転方向への回転に切り替えられて、ブラシローラ１９がシート４７を上流側へ送ろうとする付勢力を発生させる逆転方向に回転する。ブラシローラ１９が逆転方向に回転することによって紐５１が上流側へ延びるように付勢される。従って、紐５１がシート４７の側方などへ大きく飛び出すなどして、軸部１５ｂ、１７ｂ、１９ｂなどに絡み付くのを防止することができる。【選択図】        図１
2014172030.tif 000002
【特許請求の範囲】
【請求項１】
一対の搬送ローラから成る少なくとも二組の搬送ローラ組の間に備えられ、前記一対の搬送ローラに挟まれて上流側から下流側へ搬送されるシートの表裏面を、回転してブラッシングする一対のブラシローラから成るブラシローラ組と、前記一対のブラシローラを回転させる回転手段と、前記一対のブラシローラの回転方向を前記シートを下流側へ送ろうとする方向の付勢力を発生させる正転方向と、上流側へ送ろうとする方向の付勢力を発生させる逆転方向の間で切り替えるブラシローラ回転方向切替手段とを有するシート洗浄機であって、前記シートが前記ブラシローラ組より下流側にある搬送ローラ組の一対の搬送ローラに挟まれたときに、前記ブラシローラ回転方向切替手段によって前記ブラシローラを逆転方向へ回転させることにより前記シートに設けられた紐状体を上流側へ向かって延びるように付勢することを特徴とするシート洗浄機。
【請求項２】
請求項１に記載したシート洗浄機において、
ブラシローラ回転方向切替手段は、ブラシローラ組の下流側に備えられた搬送ローラ組の一対の搬送ローラの間にシートが挟まれたことを検知するセンサ手段と、前記センサ手段の検知情報に基づいてブラシローラを回転させる回転手段の回転方向を切り替えるコントローラとによって構成されていることを特徴とするシート洗浄機。
【請求項３】
請求項２に記載したシート洗浄機において、
一端側がヒンジによって回動自在に連結された一対の平板から成り、シートの先端部を挟んで搬送ローラ手段の一対のローラの間に差し込むためのガイド具を備え、前記ガイド具はセンサ手段によって検知される被検知部材であることを特徴とするシート洗浄機。
【発明の詳細な説明】
【技術分野】
【０００１】
本発明はシート洗浄機に係り、特に紐状体が取り付けられたシートを洗浄するのに適したシート洗浄機に関するものである。
【背景技術】
【０００２】
ビニールシート等の軟質シートを洗浄するシート洗浄機として、例えば特許文献１に記載されたものがある。このシート洗浄機では、シートが正転方向に回転する上下一対の搬送ローラの間に挟まれて上流側から下流側へ搬送されながら、その表裏面に洗浄水を吹き付けられ、回転する上下一対のブラシローラによってブラッシングされる。さらにブラシローラの下流側に備えられた搬送ローラによって搬送され、機外に排出される。
【０００３】
軟質シートの一種として、建設中の建築物等を覆う工事用シートがある。この工事用シートの縁部には、互いに間隔を開けて複数の丸穴が配置されている。これらの丸穴には紐がそれぞれ通され結ばれていて、この紐を足場等に結束して、工事用シートを取り付ける。
【先行技術文献】
【特許文献】
【０００４】
【特許文献１】特開２００８−１５５１２７号公報
【発明の概要】
【発明が解決しようとする課題】
【０００５】
しかしながら、上記従来のシート洗浄機によって、前記工事用シートのように紐が取り付けられたシートを洗浄すると、紐が搬送ローラやブラシローラの軸部に絡み付いてしまうおそれがあるという問題がある。
【０００６】
本発明は上記従来の問題に着目して為されたものであり、紐が取り付けられたシートを洗浄しても、紐が搬送ローラ、ブラシローラの軸部などに絡み付いてしまうのを防止できるシート洗浄機の提供を、その目的とする。
【課題を解決するための手段】
【０００７】
本発明は上記課題を解決するためになされたものであり、請求項１の発明は、  一対の搬送ローラから成る少なくとも二組の搬送ローラ組の間に備えられ、前記一対の搬送ローラに挟まれて上流側から下流側へ搬送されるシートの表裏面を、回転してブラッシングする一対のブラシローラから成るブラシローラ組と、前記一対のブラシローラを回転させる回転手段と、前記一対のブラシローラの回転方向を前記シートを下流側へ送ろうとする方向の付勢力を発生させる正転方向と、上流側へ送ろうとする方向の付勢力を発生させる逆転方向の間で切り替えるブラシローラ回転方向切替手段とを有するシート洗浄機であって、前記シートが前記ブラシローラ組より下流側にある搬送ローラ組の一対の搬送ローラに挟まれたときに、前記ブラシローラ回転方向切替手段によって前記ブラシローラを逆転方向へ回転させることにより前記シートに設けられた紐状体を上流側へ向かって延びるように付勢することを特徴とするシート洗浄機である。
【０００８】
請求項２の発明は、請求項１に記載したシート洗浄機において、ブラシローラ回転方向切替手段は、ブラシローラ組の下流側に備えられた搬送ローラ組の一対の搬送ローラの間にシートが挟まれたことを検知するセンサ手段と、前記センサ手段の検知情報に基づいてブラシローラを回転させる回転手段の回転方向を切り替えるコントローラとによって構成されていることを特徴とするシート洗浄機である。
【０００９】
請求項３の発明は、請求項２に記載したシート洗浄機において、一端側がヒンジによって回動自在に連結された一対の平板から成り、シートの先端部を挟んで搬送ローラ手段の一対のローラの間に差し込むためのガイド具を備え、前記ガイド具はセンサ手段によって検知される被検知部材であることを特徴とするシート洗浄機である。
【発明の効果】
【００１０】
本発明のシート洗浄機によれば、ブラシローラが逆転方向へ回転してシートに取り付けられた紐が上流側に向かって延びるように付勢されるため、紐が搬送ローラやブラシローラの軸部などに絡み付いてしまうのを防止することができる。
【図面の簡単な説明】
【００１１】
【図１】本発明の実施の形態に係るシート洗浄機の側面図である。
【図２】図１のシート洗浄機の斜視図である。
【図３】図１のシート洗浄機によって洗浄されるシートと、ガイド具の斜視図である。
【図４】図１のシート洗浄機がシートを洗浄する方法を説明するための側面図である。
【図５】図１のシート洗浄機がシートを洗浄する方法を説明するための側面図である。
【図６】図１のシート洗浄機がシートを洗浄する方法を説明するための側面図である。
【図７】ブラシローラが逆転しているときに、紐が上流側へ延びるように付勢されている状態を示す図である。
【発明を実施するための形態】
【００１２】
本発明の実施の形態に係るシート洗浄機１を図面にしたがって説明する。
符号３は本体ケース部を示し、この本体ケース部３には搬送ローラ組５、７、９、ブラシローラ組１１、１３が収容されている。
搬送ローラ組５、７は前後方向へ互いに間隔を開け、且つ互いに対向して配置されている。これらの搬送ローラ組５、７は、それぞれ上下一対の搬送ローラ１５から成る。搬送ローラ１５は合成ゴム製のローラ部１５ａと、このローラ部１５ａの中心に貫入された軸部１５ｂとによって構成されている。軸部１５ｂは図示しない軸受に支持されており、搬送ローラ１５は回転自在に備えられている。
【００１３】
搬送ローラ組９は、搬送ローラ組７の後側に間隔を開け、且つ互いに対向して配置されている。この搬送ローラ組９は上下一対の搬送ローラ１７とから成る。搬送ローラ１７は吸水性と弾力性を有するスポンジ製のローラ部１７ａと、このローラ部１７ａの中心に貫入された軸部１７ｂとによって構成されている。軸部１７ｂは図示しない軸受によって支持されており、搬送ローラ１７は回転自在に備えられている。後述するように、搬送ローラ組９はシート４７を搬送するだけでなくシート４７に付着した水を搾り取る機能も発揮する。
搬送ローラ１５、１７はそれぞれ図示しないモータによって回転させられるようになっており、このモータ２０の駆動はコントローラ２１によって制御される。
【００１４】
ブラシローラ組１１は二組の搬送ローラ組５、７の間に備えられており、ブラシローラ組１３は二組の搬送ローラ組７、９の間に備えられている。ブラシローラ組１１、１３はそれぞれ上下一対のブラシローラ１９から成る。
ブラシローラ１９はブラシ部１９ａと、このブラシ部１９ａを保持する軸部１９ｂとから成る。軸部１９ｂは図示しない軸受に支持されており、ブラシローラ１９は回転自在に備えられている。
軸部１９ｂは回転手段としてのモータ２０によって回転させられるようになっており、このモータの駆動はコントローラ２１によって制御される。
【００１５】
符号２２は噴水パイプを示し、この噴水パイプ２２は搬送ローラ組５とブラシローラ組１１との間、ブラシローラ組１１と搬送ローラ組７との間、搬送ローラ組７とブラシローラ組１３との間、ブラシローラ組１３と搬送ローラ組９との間に上下交互となるように配置されている。噴水パイプ２２には洗浄水を噴射するための噴射口が多数形成されている。
【００１６】
符号３３は排水受け部を示し、この排水受け部３３は搬送ローラ組５、７、９、ブラシローラ組１１、１３の下方に備えられている。排水受け部３３の排水管３３ａには図示しない排水ホースが連結されている。
【００１７】
本体ケース部３には挿入口３５と排出口３９が設けられており、挿入口３５と排出口３９は搬送ローラ組５、ブラシローラ組１１、搬送ローラ組７、ブラシローラ組１３及び搬送ローラ組９を挟んで互いに対向して備えられている。
挿入口３５と搬送ローラ組５との間には挿入ガイド３７が備えられている。また、搬送ローラ組９と排出口３９との間には排出ガイド４１が備えられている。
【００１８】
本体ケース部３の排出口３９側の側面には発光部４３と受光部４５が取り付けられており、発光部４３と受光部４５は排出口３９のすぐ外側の領域を上下に挟むようにして互いに対向して備えられている。発光部４３、受光部４５はコントローラ２１に接続されている。
発光部４３と受光部４５によって、センサ手段が構成されている。
発光部４３、受光部４５及びコントローラ２１によってブラシローラ回転方向切替手段が構成されている。
【００１９】
符号４７はシートを示し、このシート４７は軟質な合成樹脂製で、長尺な帯状を為している。シート４７の縁部には複数の丸穴４９が配置され、これらの丸穴４９は等間隔に配置されている。丸穴４９には紐状体としての布製の紐５１が通され結ばれている。
符号５３は被検知部材としてのガイド具を示し、このガイド具５３は一端側がヒンジ５３ｂを介して回動自在に連結される一対の金属板５３ａから構成されている。ガイド具５３の幅寸法はシート４７の幅寸法より僅かに大きい寸法に設定されている。
【００２０】
シート洗浄機１の使用方法について説明する。
まず、図３に示すようにガイド具５３の金属板５３ａを開いて、一方の金属板５３ａの上にシート４７の先端部を載せてから、金属板５３ａを閉じて、シート４７の先端部をガイド具５３によって挟む。
次に、シート洗浄機１を作動させて、搬送ローラ１５、１７とブラシローラ１９を正転方向、すなわちシート４７を上流側(図４〜図５において紙面左側)から下流側(図４〜図５において紙面右側)へ送ろうとする付勢力を発生させる方向へ回転させる。
また、噴水パイプ２２の噴射口から洗浄水を噴射させる。
【００２１】
そして、図４に示すようにガイド具５３を挿入口３５へ差し込み、挿入ガイド３７にガイドさせて搬送ローラ組５の一対の搬送ローラ１５に挟む。シート４７は正転方向に回転する一対の搬送ローラ１５によって下流側へ送られる。
図５、図６に示すようにシート４７は更にブラシローラ組１１のブラシローラ１９の間、搬送ローラ組７の搬送ローラ１５の間、ブラシローラ組１３のブラシローラ１９の間、搬送ローラ組９の搬送ローラ１７の間を通って搬送され、この間にシート４７は洗浄水を噴射されながらブラシローラ１９に表裏面がブラッシングされる。
前述のようにシート４７の先端部がガイド具５３によって挟まれているので、シート４７の先端部に取り付けられた紐５１が軸部１５ｂ、１７ｂ、１９ｂなどに巻き込まれて絡み付くのを防止することができる。
【００２２】
ガイド具５３と共にシート４７が下流側へ搬送され、ガイド具５３が排出ガイド４１にガイドされて排出口３９からすぐ外側の領域に出る(図６参照)。この状態ではシート４７は、ブラシローラ組１１より下流側にある搬送ローラ組７の一対の搬送ローラ１５に挟まれ、且つブラシローラ組１３より下流側にある搬送ローラ組９の一対の搬送ローラ１７に挟まれている。
【００２３】
ガイド具５３が排出ガイド４１にガイドされて排出口３９からすぐ外側の領域に出ると、発光部４３から照射されている光が遮られて、受光部４５が光を検知しない状態となり、この検知情報がコントローラ２１へ伝達される。これにより、モータ２０が逆転方向への回転に切り替えられて、ブラシローラ１９がシート４７を上流側へ送ろうとする付勢力を発生させる逆転方向に回転する。
ブラシローラ１９が逆転方向へ回転することによって図７（ｂ）に示すように、紐５１が上流側へ延びるように付勢される。従って、紐５１がシート４７の側方などへ大きく飛び出すなどして、軸部１５ｂ、１７ｂ、１９ｂなどに絡み付くのを防止することができる。
【００２４】
なお、ブラシローラ１９が逆転方向へ回転しても、シート４７は、ブラシローラ組１１より下流側にある搬送ローラ組７の一対の搬送ローラ１５に挟まれ、且つブラシローラ組１３より下流側にある搬送ローラ組９の一対の搬送ローラ１７に挟まれているので、一対の搬送ローラ１５、一対の搬送ローラ１７の正転方向の回転によって下流側へ搬送される。そして、上記したようにシート４７の洗浄が行われる。
搬送ローラ組９の一対の搬送ローラ１７はスポンジによって構成されているので、搬送ローラ１７どうしの接触面が平面になるように変形して、比較的広い面積をもってシート４７に接触する。これによりシート４７に付着した洗浄水が吸収され、且つ洗浄水が絞り取られながら下流側へ送られ、排出口３９から排出される。
洗浄水は排水受け部３３に落下して排水パイプから機外へと排出される。
【００２５】
以上、本発明の実施の形態について詳述してきたが、具体的構成は、この実施の形態に限られるものではなく、本発明の要旨を逸脱しない範囲における設計の変更などがあっても発明に含まれる。
本実施の形態に係るシート洗浄装置は、搬送ローラ組を三組備えたが、少なくとも二組の搬送ローラ組が備えられていればよく、例えば二組備えても、四組以上備えてもよい。
本実施の形態係るシート洗浄装置は、ブラシローラ組を二組備えたが、少なくとも一組のブラシローラ組が備えられていればよく、例えば一組備えても、三組以上備えてもよい。
また、上記実施の形態では、紐状体としての布製の紐を示したが、本発明はこれに限定されず、ロープ等、他の種類の紐状体であってもよい。
【産業上の利用可能性】
【００２６】
シート洗浄機の製造業に利用可能性を有する。
【符号の説明】
【００２７】
１…シート洗浄機    ３…本体ケース部    ５、７、９…搬送ローラ組
１１、１３…ブラシローラ組    １５…搬送ローラ    １５ａ…ローラ部
１５ｂ…軸部    １７…搬送ローラ    １７ａ…ローラ部
１７ｂ…軸部      １９…ブラシローラ    １９ａ…ブラシ部
１９ｂ…軸部    ２０…モータ      ２１…コントローラ
２２…噴水パイプ    ３３…排水受け部      ３３ａ…排水管
３５…挿入口    ３７…挿入ガイド    ３９…排出口
４１…排出ガイド    ４３…発光部    ４５…受光部
４７…シート      ４９…丸穴    ５１…紐
５３…ガイド具    ５３ａ…金属板    ５３ｂ…ヒンジ
【図１】
2014172030.tif 000003
【図２】
2014172030.tif 000004
【図３】
2014172030.tif 000005
【図４】
2014172030.tif 000006
【図５】
2014172030.tif 000007
【図６】
2014172030.tif 000008
【図７】
2014172030.tif 000009